【手続補正書】
【提出日】平成18年11月27日(2006.11.27)
【手続補正１】
【補正対象書類名】明細書
【補正対象項目名】特許請求の範囲
【補正方法】変更
【補正の内容】
【特許請求の範囲】
【請求項１】
電子機器に接続される、電子機器の障害検出装置であって、
前記電子機器に障害が発生したか否かを判定する判定手段と、
前記判定手段により障害が発生したと判定された場合に、障害を解消するための点検項目を表示する表示手段と、
を備えたことを特徴とする電子機器の障害検出装置。
【請求項２】
前記電子機器が印刷装置であることを特徴とする請求項１に記載の電子機器の障害検出装置。
【請求項３】
電子機器に接続される、電子機器の障害検出装置であって、
前記電子機器に障害が発生したか否かを判定する判定手段と、
前記判定手段により障害が発生したと判定された場合に、障害を解消するための点検項目の転送を外部データベースへ要求する手段と、
前記外部データベースから前記点検項目を取得する手段と、
を備えたことを特徴とする電子機器の障害検出装置。
【請求項４】
取得された前記点検項目を表示する表示手段を備えたことを特徴とする請求項３に記載の電子機器の障害検出装置。
【請求項５】
電子機器に接続される、電子機器の障害検出装置であって、
前記電子機器に障害が発生したか否かを判定する判定手段と、
前記判定手段により障害が発生したと判定された場合に、障害のリストを表示する表示手段と、
前記障害のリストのうち、いずれかの障害を選択する選択手段と、
を備え、
前記表示手段は、前記選択手段により選択された前記障害を解消するための点検項目を更に表示することを特徴とする電子機器の障害検出装置。
【請求項６】
電子機器に接続される、電子機器の障害検出装置であって、
前記電子機器に障害が発生したか否かを判定する判定手段と、
前記判定手段により障害が発生したと判定された場合に、障害のリストを表示する表示手段と、
前記障害のリストのうち、いずれかの障害を選択する選択手段と、
前記選択手段により選択された前記障害を解消するための点検項目の転送を外部データベースへ要求する手段と、
前記外部データベースから前記点検項目を取得する手段と、
を備えたことを特徴とする電子機器の障害検出装置。
【請求項７】
前記表示手段は、取得された前記点検項目を表示することを特徴とする請求項６に記載の電子機器の障害検出装置。
【請求項８】
障害が発生したか否かを判定する判定手段と、
前記判定手段により障害が発生したと判定された場合に、障害を解消するための点検項目を表示する表示手段と、
を備えたことを特徴とする電子機器。
【請求項９】
障害が発生したか否かを判定する判定手段と、
前記判定手段により障害が発生したと判定された場合に、障害を解消するための点検項目の転送を外部データベースへ要求する手段と、
前記外部データベースから前記点検項目を取得する手段と、
を備えたことを特徴とする電子機器。
【請求項１０】
障害が発生したか否かを判定する判定手段と、
前記判定手段により障害が発生したと判定された場合に、障害のリストを表示する表示手段と、
前記障害のリストのうち、いずれかの障害を選択する選択手段と、
を備え、
前記表示手段は、前記選択手段により選択された前記障害を解消するための点検項目を更に表示することを特徴とする電子機器。
【請求項１１】
障害が発生したか否かを判定する判定手段と、
前記判定手段により障害が発生したと判定された場合に、障害のリストを表示する表示手段と、
前記障害のリストのうち、いずれかの障害を選択する選択手段と、
前記選択手段により選択された前記障害を解消するための点検項目の転送を外部データベースへ要求する手段と、
前記外部データベースから前記点検項目を取得する手段と、
を備えたことを特徴とする電子機器。
【請求項１２】
電子機器に発生した障害を検出するための、電子機器の障害検出方法であって、
判定手段が、前記電子機器に障害が発生したか否かを判定する判定工程と、
表示手段が、前記判定工程において障害が発生したと判定した場合に、障害を解消するための点検項目を表示する表示工程と、
を含むことを特徴とする電子機器の障害検出方法。
【請求項１３】
電子機器に発生した障害を検出するための、電子機器の障害検出方法であって、
判定手段が、前記電子機器に障害が発生したか否かを判定する判定工程と、
要求手段が、前記判定工程において障害が発生したと判定した場合に、障害を解消するための点検項目の転送を外部データベースへ要求する工程と、
取得手段が、前記外部データベースから前記点検項目を取得する工程と、
を含むことを特徴とする電子機器の障害検出方法。
【請求項１４】
電子機器に発生した障害を検出するための、電子機器の障害検出方法であって、
判定手段が、前記電子機器に障害が発生したか否かを判定する判定工程と、
表示手段が、前記判定工程において障害が発生したと判定した場合に、障害のリストを表示する表示工程と、
選択手段が、前記障害のリストのうち、いずれかの障害を選択する選択工程と、
を含み、
前記選択工程において選択した前記障害を解消するための点検項目を更に表示する工程を含むことを特徴とする電子機器の障害検出方法。
【請求項１５】
電子機器に発生した障害を検出するための、電子機器の障害検出方法であって、
判定手段が、前記電子機器に障害が発生したか否かを判定する判定工程と、
表示手段が、前記判定工程において障害が発生したと判定した場合に、障害のリストを表示する表示工程と、
選択手段が、前記障害のリストのうち、いずれかの障害を選択する選択工程と、
要求手段が、前記選択工程において選択した前記障害を解消するための点検項目の転送を外部データベースへ要求する工程と、
取得手段が、前記外部データベースから前記点検項目を取得する工程と、
を含むことを特徴とする電子機器の障害検出方法。
【請求項１６】
電子機器に発生した障害を検出するために、コンピュータを、
前記電子機器に障害が発生したか否かを判定する判定手段、
前記判定手段により障害が発生したと判定された場合に、障害を解消するための点検項目を表示する表示手段、
として機能させるコンピュータプログラムを記録した記録媒体。
【請求項１７】
電子機器に発生した障害を検出するために、コンピュータを、
前記電子機器に障害が発生したか否かを判定する判定手段、
前記判定手段により障害が発生したと判定された場合に、障害を解消するための点検項目の転送を外部データベースへ要求する手段、
前記外部データベースから前記点検項目を取得する手段、
として機能させるコンピュータプログラムを記録した記録媒体。
【請求項１８】
電子機器に発生した障害を検出するために、コンピュータを、
前記電子機器に障害が発生したか否かを判定する判定手段、
前記判定手段により障害が発生したと判定された場合に、障害のリストを表示する表示手段、
前記障害のリストのうち、いずれかの障害を選択する選択手段、
として機能させるコンピュータプログラムを記録した記録媒体であって、
前記表示手段は、前記選択手段により選択された前記障害を解消するための点検項目を更に表示することを特徴とする記録媒体。
【請求項１９】
電子機器に発生した障害を検出するために、コンピュータを、
前記電子機器に障害が発生したか否かを判定する判定手段、
前記判定手段により障害が発生したと判定された場合に、障害のリストを表示する表示手段、
前記障害のリストのうち、いずれかの障害を選択する選択手段、
前記選択手段により選択された前記障害を解消するための点検項目の転送を外部データベースへ要求する手段、
前記外部データベースから前記点検項目を取得する手段、
として機能させるコンピュータプログラムを記録した記録媒体。
【手続補正２】
【補正対象書類名】明細書
【補正対象項目名】０００５
【補正方法】変更
【補正の内容】
【０００５】
【課題を解決するための手段】
本発明によれば、電子機器に接続される、電子機器の障害検出装置であって、前記電子機器に障害が発生したか否かを判定する判定手段と、前記判定手段により障害が発生したと判定された場合に、障害を解消するための点検項目を表示する表示手段と、を備えたことを特徴とする電子機器の障害検出装置が提供される。
【手続補正３】
【補正対象書類名】明細書
【補正対象項目名】０００７
【補正方法】変更
【補正の内容】
【０００７】
また、本発明によれば、電子機器に接続される、電子機器の障害検出装置であって、前記電子機器に障害が発生したか否かを判定する判定手段と、前記判定手段により障害が発生したと判定された場合に、障害を解消するための点検項目の転送を外部データベースへ要求する手段と、前記外部データベースから前記点検項目を取得する手段と、を備えたことを特徴とする電子機器の障害検出装置が提供される。
【手続補正４】
【補正対象書類名】明細書
【補正対象項目名】０００８
【補正方法】変更
【補正の内容】
【０００８】
この場合、取得された前記点検項目を表示する表示手段を備えることもできる。
【手続補正５】
【補正対象書類名】明細書
【補正対象項目名】０００９
【補正方法】変更
【補正の内容】
【０００９】
本発明によれば、電子機器に接続される、電子機器の障害検出装置であって、前記電子機器に障害が発生したか否かを判定する判定手段と、前記判定手段により障害が発生したと判定された場合に、障害のリストを表示する表示手段と、前記障害のリストのうち、いずれかの障害を選択する選択手段と、を備え、前記表示手段は、前記選択手段により選択された前記障害を解消するための点検項目を更に表示することを特徴とする電子機器の障害検出装置が提供される。
【手続補正６】
【補正対象書類名】明細書
【補正対象項目名】００１０
【補正方法】変更
【補正の内容】
【００１０】
また、本発明によれば、電子機器に接続される、電子機器の障害検出装置であって、前記電子機器に障害が発生したか否かを判定する判定手段と、前記判定手段により障害が発生したと判定された場合に、障害のリストを表示する表示手段と、前記障害のリストのうち、いずれかの障害を選択する選択手段と、前記選択手段により選択された前記障害を解消するための点検項目の転送を外部データベースへ要求する手段と、前記外部データベースから前記点検項目を取得する手段と、を備えたことを特徴とする電子機器の障害検出装置が提供される。
【手続補正７】
【補正対象書類名】明細書
【補正対象項目名】００１１
【補正方法】変更
【補正の内容】
【００１１】
この場合、前記表示手段は、取得された前記点検項目を表示することもできる。
【手続補正８】
【補正対象書類名】明細書
【補正対象項目名】００１３
【補正方法】変更
【補正の内容】
【００１３】
また、本発明によれば、障害が発生したか否かを判定する判定手段と、前記判定手段により障害が発生したと判定された場合に、障害を解消するための点検項目の転送を外部データベースへ要求する手段と、前記外部データベースから前記点検項目を取得する手段と、を備えたことを特徴とする電子機器が提供される。
【手続補正９】
【補正対象書類名】明細書
【補正対象項目名】００１５
【補正方法】変更
【補正の内容】
【００１５】
また、本発明によれば、障害が発生したか否かを判定する判定手段と、前記判定手段により障害が発生したと判定された場合に、障害のリストを表示する表示手段と、前記障害のリストのうち、いずれかの障害を選択する選択手段と、前記選択手段により選択された前記障害を解消するための点検項目の転送を外部データベースへ要求する手段と、前記外部データベースから前記点検項目を取得する手段と、を備えたことを特徴とする電子機器が提供される。
【手続補正１０】
【補正対象書類名】明細書
【補正対象項目名】００１６
【補正方法】変更
【補正の内容】
【００１６】
また、本発明によれば、電子機器に発生した障害を検出するための、電子機器の障害検出方法であって、判定手段が、前記電子機器に障害が発生したか否かを判定する判定工程と、表示手段が、前記判定工程において障害が発生したと判定した場合に、障害を解消するための点検項目を表示する表示工程と、を含むことを特徴とする電子機器の障害検出方法が提供される。
【手続補正１１】
【補正対象書類名】明細書
【補正対象項目名】００１７
【補正方法】変更
【補正の内容】
【００１７】
また、本発明によれば、電子機器に発生した障害を検出するための、電子機器の障害検出方法であって、判定手段が、前記電子機器に障害が発生したか否かを判定する判定工程と、要求手段が、前記判定工程において障害が発生したと判定した場合に、障害を解消するための点検項目の転送を外部データベースへ要求する工程と、取得手段が、前記外部データベースから前記点検項目を取得する工程と、を含むことを特徴とする電子機器の障害検出方法が提供される。
【手続補正１２】
【補正対象書類名】明細書
【補正対象項目名】００１８
【補正方法】変更
【補正の内容】
【００１８】
また、本発明によれば、電子機器に発生した障害を検出するための、電子機器の障害検出方法であって、判定手段が、前記電子機器に障害が発生したか否かを判定する判定工程と、表示手段が、前記判定工程において障害が発生したと判定した場合に、障害のリストを表示する表示工程と、選択手段が、前記障害のリストのうち、いずれかの障害を選択する選択工程と、を含み、前記選択工程において選択した前記障害を解消するための点検項目を更に表示する工程を含むことを特徴とする電子機器の障害検出方法が提供される。
【手続補正１３】
【補正対象書類名】明細書
【補正対象項目名】００１９
【補正方法】変更
【補正の内容】
【００１９】
また、本発明によれば、電子機器に発生した障害を検出するための、電子機器の障害検出方法であって、判定手段が、前記電子機器に障害が発生したか否かを判定する判定工程と、表示手段が、前記判定工程において障害が発生したと判定した場合に、障害のリストを表示する表示工程と、選択手段が、前記障害のリストのうち、いずれかの障害を選択する選択工程と、要求手段が、前記選択工程において選択した前記障害を解消するための点検項目の転送を外部データベースへ要求する工程と、取得手段が、前記外部データベースから前記点検項目を取得する工程と、を含むことを特徴とする電子機器の障害検出方法が提供される。
【手続補正１４】
【補正対象書類名】明細書
【補正対象項目名】００２０
【補正方法】変更
【補正の内容】
【００２０】
また、本発明によれば、電子機器に発生した障害を検出するために、コンピュータを、前記電子機器に障害が発生したか否かを判定する判定手段、前記判定手段により障害が発生したと判定された場合に、障害を解消するための点検項目を表示する表示手段、として機能させるコンピュータプログラムを記録した記録媒体が提供される。
【手続補正１５】
【補正対象書類名】明細書
【補正対象項目名】００２１
【補正方法】変更
【補正の内容】
【００２１】
また、本発明によれば、電子機器に発生した障害を検出するために、コンピュータを、前記電子機器に障害が発生したか否かを判定する判定手段、前記判定手段により障害が発生したと判定された場合に、障害を解消するための点検項目の転送を外部データベースへ要求する手段、前記外部データベースから前記点検項目を取得する手段、として機能させるコンピュータプログラムを記録した記録媒体が提供される。
【手続補正１６】
【補正対象書類名】明細書
【補正対象項目名】００２２
【補正方法】変更
【補正の内容】
【００２２】
また、本発明によれば、電子機器に発生した障害を検出するために、コンピュータを、前記電子機器に障害が発生したか否かを判定する判定手段、前記判定手段により障害が発生したと判定された場合に、障害のリストを表示する表示手段、前記障害のリストのうち、いずれかの障害を選択する選択手段、として機能させるコンピュータプログラムを記録した記録媒体であって、前記表示手段は、前記選択手段により選択された前記障害を解消するための点検項目を更に表示することを特徴とする記録媒体が提供される。
【手続補正１７】
【補正対象書類名】明細書
【補正対象項目名】００２３
【補正方法】変更
【補正の内容】
【００２３】
また、本発明によれば、電子機器に発生した障害を検出するために、コンピュータを、前記電子機器に障害が発生したか否かを判定する判定手段、前記判定手段により障害が発生したと判定された場合に、障害のリストを表示する表示手段、前記障害のリストのうち、いずれかの障害を選択する選択手段、前記選択手段により選択された前記障害を解消するための点検項目の転送を外部データベースへ要求する手段、前記外部データベースから前記点検項目を取得する手段、として機能させるコンピュータプログラムを記録した記録媒体が提供される。